(57)【要約】【課題】撮像画像に施される画像処理の内容を分かりやすくすること。【解決手段】撮像装置は、表示手段の表示画面内において、第１の位置が選択されている場合には、撮像画像に対して第１の画像処理を行い、第１の画像処理が行われた撮像画像を表示手段に表示し、第１の音または振動を発生手段から発生させ、第２の位置が選択されている場合には、撮像画像に対して第２の画像処理を行い、第２の画像処理が行われた撮像画像を表示手段に表示し、第２の音または振動を発生手段から発生させ、中間位置が選択されている場合には、撮像画像に対して第１の画像処理と第２の画像処理の両方を行い、第１の画像処理と第２の画像処理の両方が行われた撮像画像を表示手段に表示し、第１の音または振動と第２の音または振動の両方を発生手段から発生させる。【選択図】図１
2015106821.tif 000002
【特許請求の範囲】
【請求項１】
被写体像を撮像する撮像手段と、
表示手段の表示画面内において、第１の位置と、前記第１の位置から離れた位置にある第２の位置と、前記第１の位置および前記第２の位置の間の中間位置とのいずれかの位置を選択可能である位置選択手段と、
前記撮像手段により撮像された撮像画像に対して、第１の画像処理と、前記第１の画像処理とは異なる第２の画像処理とを行うことが可能な画像処理手段と、
前記撮像画像を表示手段に表示する表示制御手段と、
第１の音または振動と、前記第１の音または振動とは異なる第２の音または振動とを発生可能な発生手段と、
前記発生手段を制御する発生制御手段と、を備え、
前記位置選択手段により前記第１の位置が選択されている場合には、前記画像処理手段は前記撮像画像に対して前記第１の画像処理を行い、前記表示制御手段は前記第１の画像処理が行われた前記撮像画像を表示手段に表示し、前記発生制御手段は前記第１の音または振動を前記発生手段から発生させ、
前記位置選択手段により前記第２の位置が選択されている場合には、前記画像処理手段は前記撮像画像に対して前記第２の画像処理を行い、前記表示制御手段は前記第２の画像処理が行われた前記撮像画像を表示手段に表示し、前記発生制御手段は前記第２の音または振動を前記発生手段から発生させ、
前記位置選択手段により前記中間位置が選択されている場合には、前記画像処理手段は前記撮像画像に対して前記第１の画像処理と前記第２の画像処理の両方を行い、前記表示制御手段は前記第１の画像処理と前記第２の画像処理の両方が行われた前記撮像画像を表示手段に表示し、前記発生制御手段は前記第１の音または振動と前記第２の音または振動の両方を前記発生手段から発生させることを特徴とする撮像装置。
【請求項２】
請求項１に記載の撮像装置において、
前記位置選択手段により前記中間位置が選択されている場合には、前記画像処理手段は、前記位置選択手段による選択位置が、前記第１の位置に近いほど前記第１の画像処理の比率を高くして前記第２の画像処理の比率を低くし、前記第２の位置に近いほど前記第２の画像処理の比率を高くして前記第１の画像処理の比率を低くし、前記発生制御手段は、前記第１の画像処理の比率が高いほど、前記発生手段から発生させる前記第１の音または振動の大きさを大きくし、前記第２の画像処理の比率が高いほど、前記発生手段から発生させる前記第２の音または振動を大きくすることを特徴とする撮像装置。
【請求項３】
請求項２に記載の撮像装置において、
前記発生制御手段は、前記位置選択手段による選択位置が前記第１の位置である場合には、前記発生手段から発生させる前記第１の音または振動の大きさを最も大きくし、前記位置選択手段による選択位置が前記第２の位置である場合には、前記発生手段から発生させる前記第２の音または振動の大きさを最も大きくすることを特徴とする撮像装置。
【請求項４】
撮像画像を取得する取得工程と、
表示手段の表示画面内において、第１の位置と、前記第１の位置から離れた位置にある第２の位置と、前記第１の位置および前記第２の位置の間の中間位置とのいずれかの位置を選択する位置選択工程と、
前記位置選択工程により前記第１の位置が選択された場合には、前記撮像画像に対して第１の画像処理を行って表示手段に表示するとともに第１の音または振動を発生手段から発生させ、前記位置選択工程により前記第２の位置が選択された場合には、前記撮像画像に対して前記第１の画像処理とは異なる第２の画像処理を行って表示手段に表示するとともに前記第１の音または振動とは異なる第２の音または振動を発生手段から発生させ、前記位置選択工程により前記中間位置が選択された場合には、前記撮像画像に対して前記第１の画像処理と前記第２の画像処理の両方を行って表示手段に表示するとともに前記第１の音または振動と前記第２の音または振動の両方を発生させる発生工程と、
を有することを特徴とする音または振動の発生方法。
【請求項５】
請求項４に記載の音または振動の発生方法をコンピュータに実行させることを特徴とするプログラム。
【請求項６】
被写体像を撮像する撮像手段と、
表示手段の表示画面内において、第１の位置と、前記第１の位置から離れた位置にある第２の位置と、前記第１の位置および前記第２の位置の間の中間位置と、前記第１の位置、前記第２の位置、および前記中間位置以外に位置する第３の位置と、のいずれかの位置を選択可能である位置選択手段と、
前記撮像画像に対して、第１の画像処理と、前記第１の画像処理とは異なる第２の画像処理とを行うことが可能な画像処理手段と、
前記撮像画像を表示手段に表示する表示制御手段と、
所定の音または振動を発生可能な発生手段と、
前記発生手段を制御する発生制御手段と、
を備え、
前記位置選択手段により前記中間位置が選択された場合には、前記画像処理手段は前記撮像画像に対して前記第１の画像処理と前記第２の画像処理の両方を行い、前記表示制御手段は前記第１の画像処理と前記第２の画像処理の両方が行われた前記撮像画像を表示手段に表示し、前記発生制御手段は音または振動を前記発生手段から発生させず、
前記位置選択手段により前記第３の位置が選択された場合には、前記画像処理手段は前記撮像画像に対して前記第１の画像処理と前記第２の画像処理のいずれも行わず、前記表示制御手段は前記第１の画像処理と前記第２の画像処理が行われていない前記撮像画像を表示手段に表示し、前記発生制御手段は所定の音または振動を前記発生手段から発生させることを特徴とする撮像装置。
【請求項７】
請求項６に記載の撮像装置において、
前記位置選択手段により前記第１の位置が選択された場合には、前記画像処理手段は前記撮像画像に対して前記第１の画像処理を行い、前記表示制御手段は前記第１の画像処理が行われた前記撮像画像を表示手段に表示し、前記発生制御手段は音または振動を前記発生手段から発生させず、
前記位置選択手段により前記第２の位置が選択された場合には、前記画像処理手段は前記撮像画像に対して前記第２の画像処理を行い、前記表示制御手段は前記第２の画像処理が行われた前記撮像画像を表示手段に表示し、前記発生制御手段は音または振動を前記発生手段から発生させないことを特徴とする撮像装置。
【請求項８】
撮像画像を取得する取得工程と、
表示手段の表示画面内において、第１の位置と、前記第１の位置から離れた位置にある第２の位置と、前記第１の位置および前記第２の位置の間の中間位置と、前記第１の位置、前記第２の位置、および前記中間位置以外に位置する第３の位置と、のいずれかの位置を選択する位置選択工程と、
前記位置選択工程により前記中間位置が選択された場合には、前記撮像画像に対して前記第１の画像処理と前記第２の画像処理の両方を行って表示手段に表示し発生手段からは音または振動を発生させず、前記位置選択工程により前記第３の位置が選択された場合には、前記撮像画像に対して前記第１の画像処理と前記第２の画像処理を行わずに表示手段に表示すると共に所定の音または振動を発生手段から発生させる発生工程と、
を有することを特徴とする音または振動の発生方法。
【請求項９】
請求項８に記載の音または振動の発生方法をコンピュータに実行させることを特徴とするプログラム。
【発明の詳細な説明】
【技術分野】
【０００１】
本発明は、撮像装置、音または振動の発生方法およびプログラムに関する。
【背景技術】
【０００２】
使用する画像効果を選択するためのメニューと、選択した画像効果の効果レベルを調整するためのメニューとを表示部に表示するデジタルカメラが知られている（特許文献１参照）。
【先行技術文献】
【特許文献】
【０００３】
【特許文献１】特開２０１２−１２４６０８号公報
【発明の概要】
【発明が解決しようとする課題】
【０００４】
上述したデジタルカメラを屋外で使用する場合、デジタルカメラの表示部（液晶モニタ）が屋外光によって見えにくくなるため、どの画像効果が選択されて効果レベルがどれくらいかなど、画像効果の内容が分かりにくかった。
【課題を解決するための手段】
【０００５】
（１）請求項１に記載の撮像装置は、被写体像を撮像する撮像手段と、表示手段の表示画面内において、第１の位置と、第１の位置から離れた位置にある第２の位置と、第１の位置および第２の位置の間の中間位置とのいずれかの位置を選択可能である位置選択手段と、撮像手段により撮像された撮像画像に対して、第１の画像処理と、第１の画像処理とは異なる第２の画像処理とを行うことが可能な画像処理手段と、撮像画像を表示手段に表示する表示制御手段と、第１の音または振動と、第１の音または振動とは異なる第２の音または振動とを発生可能な発生手段と、発生手段を制御する発生制御手段と、を備え、位置選択手段により第１の位置が選択されている場合には、画像処理手段は撮像画像に対して第１の画像処理を行い、表示制御手段は第１の画像処理が行われた撮像画像を表示手段に表示し、発生制御手段は第１の音または振動を発生手段から発生させ、位置選択手段により第２の位置が選択されている場合には、画像処理手段は撮像画像に対して第２の画像処理を行い、表示制御手段は第２の画像処理が行われた撮像画像を表示手段に表示し、発生制御手段は第２の音または振動を発生手段から発生させ、位置選択手段により中間位置が選択されている場合には、画像処理手段は撮像画像に対して第１の画像処理と第２の画像処理の両方を行い、表示制御手段は第１の画像処理と第２の画像処理の両方が行われた撮像画像を表示手段に表示し、発生制御手段は第１の音または振動と第２の音または振動の両方を発生手段から発生させることを特徴とする。
（２）請求項４に記載の音または振動の発生方法は、撮像画像を取得する取得工程と、表示手段の表示画面内において、第１の位置と、第１の位置から離れた位置にある第２の位置と、第１の位置および第２の位置の間の中間位置とのいずれかの位置を選択する位置選択工程と、位置選択工程により第１の位置が選択された場合には、撮像画像に対して第１の画像処理を行って表示手段に表示するとともに第１の音または振動を発生手段から発生させ、位置選択工程により第２の位置が選択された場合には、撮像画像に対して第１の画像処理とは異なる第２の画像処理を行って表示手段に表示するとともに第１の音または振動とは異なる第２の音または振動を発生手段から発生させ、位置選択工程により中間位置が選択された場合には、撮像画像に対して第１の画像処理と第２の画像処理の両方を行って表示手段に表示するとともに第１の音または振動と第２の音または振動の両方を発生させる発生工程と、を有することを特徴とする。
（３）請求項５に記載のプログラムは、請求項４に記載の音または振動の発生方法をコンピュータに実行させることを特徴とする。
（４）請求項６に記載の撮像装置は、被写体像を撮像する撮像手段と、表示手段の表示画面内において、第１の位置と、第１の位置から離れた位置にある第２の位置と、第１の位置および第２の位置の間の中間位置と、第１の位置、第２の位置、および中間位置以外に位置する第３の位置と、のいずれかの位置を選択可能である位置選択手段と、撮像画像に対して、第１の画像処理と、第１の画像処理とは異なる第２の画像処理とを行うことが可能な画像処理手段と、撮像画像を表示手段に表示する表示制御手段と、所定の音または振動を発生可能な発生手段と、発生手段を制御する発生制御手段と、を備え、位置選択手段により中間位置が選択された場合には、画像処理手段は撮像画像に対して第１の画像処理と第２の画像処理の両方を行い、表示制御手段は第１の画像処理と第２の画像処理の両方が行われた撮像画像を表示手段に表示し、発生制御手段は音または振動を発生手段から発生させず、位置選択手段により第３の位置が選択された場合には、画像処理手段は撮像画像に対して第１の画像処理と第２の画像処理のいずれも行わず、表示制御手段は第１の画像処理と第２の画像処理が行われていない撮像画像を表示手段に表示し、発生制御手段は所定の音または振動を発生手段から発生させることを特徴とする。
（５）請求項８に記載の音または振動の発生方法は、撮像画像を取得する取得工程と、表示手段の表示画面内において、第１の位置と、第１の位置から離れた位置にある第２の位置と、第１の位置および第２の位置の間の中間位置と、第１の位置、第２の位置、および中間位置以外に位置する第３の位置と、のいずれかの位置を選択する位置選択工程と、位置選択工程により中間位置が選択された場合には、撮像画像に対して第１の画像処理と第２の画像処理の両方を行って表示手段に表示し発生手段からは音または振動を発生させず、位置選択工程により第３の位置が選択された場合には、撮像画像に対して第１の画像処理と第２の画像処理を行わずに表示手段に表示すると共に所定の音または振動を発生手段から発生させる発生工程と、を有することを特徴とする。
（６）請求項９に記載のプログラムは、請求項８に記載の音または振動の発生方法をコンピュータに実行させることを特徴とする。
【発明の効果】
【０００６】
本発明によれば、撮像画像に施される画像処理の内容を分かりやすくすることができる。
【図面の簡単な説明】
【０００７】
【図１】デジタルカメラの構成例を説明するブロック図である。
【図２】リング画像を説明する図である。
【図３】第１の実施形態におけるカーソルの位置に応じた画像処理と操作音を説明する図である。
【図４】撮影シーンに応じた画像処理の組合せを説明する図である。
【図５】クリエイティブモードにおける処理の流れを説明するフローチャートである。
【図６】リング画像のカーソルの位置に応じた画像処理の流れを説明するフローチャートである。
【図７】第２の実施形態におけるカーソルの位置に応じた画像処理と操作音を説明する図である。
【図８】プログラムの提供の様子を説明する図である。
【発明を実施するための形態】
【０００８】
−第１の実施形態−
図面を参照して本発明の第１の実施形態について説明する。図１は、本実施形態に係るデジタルカメラ１の構成を示すブロック図である。デジタルカメラ１は、撮像光学系１１と、撮像素子１２と、レンズ駆動回路１３と、制御部１４と、操作部材１６と、表示部１７、スピーカ１８と、振動発生部１９とを備えている。デジタルカメラ１には、例えばメモリカードなどの記録媒体２０が着脱可能である。
【０００９】
撮像光学系１１は、ズームレンズやフォーカシングレンズを含む複数のレンズ群で構成され、被写体像を撮像素子１２の受光面に結像させる。なお、図１を簡単にするため、撮像光学系１１を単レンズとして図示している。
【００１０】
レンズ駆動回路１３は、制御部１４の制御のもと、撮像光学系１１のズームレンズを駆動して焦点距離を調節するとともに、撮像光学系１１のフォーカシングレンズを駆動して焦点調節を行う。
【００１１】
撮像素子１２は、例えばＣＭＯＳ撮像素子などのイメージセンサであり、撮像光学系１１により結像した被写体像を撮像して、得られた画像信号を制御部１４へ出力する。
【００１２】
制御部１４は、表示制御部１４ａと、位置選択部１４ｂと、画像処理部１４ｃと、発生制御部１４ｄとを有する。制御部１４は、ＣＰＵ、メモリ、およびその周辺回路から構成され、メモリに格納された制御プログラムを実行することにより、これらの各部の機能を実現している。各部の機能の内容については、後で詳しく説明する。
【００１３】
操作部材１６は、シャッターボタン１６ａと、ロータリーマルチセレクター１６ｂと、を含む。また、操作部材１６は、この他、録画ボタン、モード切替ボタン、十字キー、ＯＫボタン、ディスプレイボタンなどを含む。操作部材１６は、ユーザー操作に応じた操作信号を制御部１４へ出力する。
【００１４】
表示部１７は、デジタルカメラ１の背面に搭載された液晶モニタ（背面モニタ）等で構成され、撮像素子１２で撮像された撮像画像や各種設定メニューなどが表示される。
【００１５】
スピーカ１８は、操作部材１６の操作に応じた操作音や、動画の再生時に動画に含まれる音声などを発生する。振動発生部１９は、振動を発生して、デジタルカメラ１全体を振動させる。
【００１６】
操作部材１６からの操作信号に応じて撮影モードに設定されると、制御部１４は、撮像素子１２に所定のフレームレートでスルー画用の撮像処理を行わせ、撮像素子１２から時系列で得られる各フレーム画像から表示用のフレーム画像を生成して表示部１７に出力する。これによって表示部１７には、スルー画がリアルタイムで表示される。
【００１７】
静止画撮影モードにおいてシャッターボタン１６ａが全押し操作されて静止画の撮影が指示されると、制御部１４は、撮像素子１２に静止画用の撮像処理を行わせ、撮像素子１２から取得した画像信号に対して所定の画像処理を行って静止画データを生成し、ＪＰＥＧなどの所定の方式により圧縮処理を行って、記録媒体２０に記録する。
【００１８】
動画撮影モードにおいて録画ボタンが操作されて動画の撮影開始が指示されると、制御部１４は、撮像素子１２に動画用の撮像処理を開始させ、撮像素子１２から出力された各フレームの画像信号に対して所定の画像処理を行う。そして、制御部１４は、画像処理後の画像データをＭＰＥＧ形式やＭｏｔｉｏｎＪＰＥＧなどの圧縮画像データに圧縮し、その圧縮画像データを記録媒体２０に記録する。そして、再度録画ボタンが操作されて動画の撮影終了が指示されると、制御部１４は、動画の撮影終了時点までの圧縮画像データを記録媒体２０に記録し、動画ファイルを完成させる。
【００１９】
また、操作部材１６からの操作信号に応じて再生モードに設定されると、制御部１４は、記録媒体２０に記録された静止画データまたは動画データを読み出して再生し、表示部１７に表示する。
【００２０】
本実施形態のデジタルカメラ１では、撮影モードとして、通常モードの他に、クリエイティブモードが設けられている。以下、このクリエイティブモードについて説明する。
【００２１】
クリエイティブモードにおいて、制御部１４の表示制御部１４ａは、スルー画を表示部１７に表示する。また、表示制御部１４ａは、図２に示すように、撮像画像に対して行う画像処理を変更するための画像（以下、リング画像と表記する）５０をスルー画に重ねて表示する。リング画像５０は、リング５１とカーソル５２とから構成される。カーソル５２は、リング５１上において、制御部１４の位置選択部１４ｂにより現在選択されている位置を示す。位置選択部１４ｂは、ユーザーによりロータリーマルチセレクター１６ｂが回転操作されると、その回転操作に応じて、カーソル５２の表示位置（すなわち選択位置）をリング５１に沿って移動させる。たとえば、ロータリーマルチセレクター１６ｂが時計周りに回転操作されると、位置選択部１４ｂは、カーソル５２をリング５１上で時計周りに所定の速度で移動させる。一方、ロータリーマルチセレクター１６ｂが反時計周りに回転操作されると、位置選択部１４ｂは、カーソル５２をリング５１上で反時計周りに所定の速度で移動させる。
【００２２】
制御部１４の画像処理部１４ｃは、位置選択部１４ｂによる選択位置（すなわちカーソル５２の表示位置）に応じて、リング画像５０に設定された４つの画像処理（以下、第１画像処理〜第４画像処理と表記する）の中から１つまたは２つの画像処理を選択する。画像処理部１４ｃは、撮像画像に対して上記選択した画像処理を行う。表示制御部１４ａは、画像処理部１４ｃにより画像処理が施された撮像画像を、スルー画として表示部１７に表示する。
【００２３】
このようにデジタルカメラ１では、ユーザーがロータリーマルチセレクター１６ｂを回転操作してカーソル５２の位置を移動させることで撮像画像に施す画像処理を選択することができ、選択した画像処理が施された撮像画像を、スルー画によってリアルタイムで確認することができる。そして、デジタルカメラ１では、ユーザーが、ロータリーマルチセレクター１６ｂを回転操作して撮像画像に施す画像処理を所望の画像処理に変更した後、シャッターボタン１６ａを押下することで、所望の画像処理を施した静止画を記録することができるようになっている。
【００２４】
リング画像５０には、リング５１の頂上地点Ｐ０から時計周りに第０位置〜第６５位置の６６か所の位置が設定されており、その位置を示す目盛がリング５１の内側に表示されている。リング５１の頂上地点Ｐ０が第０位置であり、その右隣の位置Ｐ１が第１位置である。第０位置Ｐ０から時計周りに９０度離れた位置Ｐ１７が第１７位置である。第１位置Ｐ１から第１７位置Ｐ１７の間には、第２位置〜第１６位置の１５か所の位置が等間隔に設定される。第０位置Ｐ０から１８０度離れた位置Ｐ３３が第３３位置である。第１７位置Ｐ１７から第３３位置Ｐ３３の間には、第１８位置〜第３２位置の１５か所の位置が等間隔に設定される。第０位置Ｐ０から時計周りに２７０度離れた位置Ｐ４９が第４９位置である。第３３位置Ｐ３３から第４９位置Ｐ４９の間には、第３４位置〜第４８位置の１５か所の位置が等間隔に設定される。第０位置Ｐ０の左隣の位置Ｐ６５は第６５位置である。第４９位置Ｐ４９から第６５位置Ｐ６５の間には、第５０位置〜第６４位置の１５か所の位置が等間隔に設定される。図３は、リング画像５０の各位置において選択される画像処理を説明する図である。図３では、０〜６５の番号が第０位置〜第６５位置を示し、番号の下にその番号が示す位置において選択される画像処理を記載している。
【００２５】
クリエイティブモードを開始した時点では、リング５１の頂上地点（第０位置）Ｐ０にカーソル５２が表示される。すなわち、位置選択部１４ｂが第０位置を選択した状態となる。このとき、画像処理部１４ｃは、撮像画像に対して第１画像処理〜第４画像処理を行わない。したがって、表示制御部１４ａは、第１画像処理〜第４画像処理のいずれも施していない状態の撮像画像、すなわち元画像を表示部１７に表示する。
【００２６】
カーソル５２が第０位置Ｐ０の右隣の第１位置Ｐ１にある場合、すなわち位置選択部１４ｂが第１位置Ｐ１を選択している場合には、画像処理部１４ｃは第１画像処理のみを（すなわち第１画像処理を１００％の比率で）撮像画像に施す。したがって、カーソル５２が第０位置Ｐ０から第１位置Ｐ１に時計周りに移動すると、表示部１７に表示されるスルー画は、元画像の状態から第１画像処理のみを施した状態へと変化する。
【００２７】
カーソル５２が第０位置Ｐ０から時計周りに９０度離れた第１７位置Ｐ１７にある場合、すなわち位置選択部１４ｂが第１７位置Ｐ１７を選択している場合には、画像処理部１４ｃは第２画像処理のみを（すなわち第２画像処理を１００％の比率で）撮像画像に施す。したがって、カーソル５２が第１位置Ｐ１から第１７位置Ｐ１７へと時計周りに移動すると、表示部１７に表示されるスルー画は、第１画像処理のみを施した状態から第２画像処理のみを施した状態へと変化する。このとき、表示部１７に表示されるスルー画は、第１画像処理のみを施した状態から第２画像処理のみを施した状態へ１５段階で徐々に遷移するようになっている。すなわち、カーソル５２が第２位置から第１６位置のいずれかにある間（位置選択部１４ｂが第１位置Ｐ１と第１７位置Ｐ１７との間の位置を選択している場合には）、画像処理部１４ｃは第１画像処理および第２画像処理の両方を撮像画像に対して行う（すなわち第１画像処理および第２画像処理を撮像画像に重ねがけする）。
【００２８】
このとき画像処理部１４ｃは、カーソル５２の位置（すなわち位置選択部１４ｂによる選択位置）に応じて、第１画像処理と第２画像処理の比率を変化させる。具体的には、画像処理部１４ｃは、カーソル５２の位置が第１７位置Ｐ１７へ向かう方向に移動する場合には、第１画像処理の比率を下げると共に第２画像処理の比率を上げるように変化させる。一方、画像処理部１４ｃは、カーソル５２の位置が第１位置Ｐ１へ向かう方向に移動する場合には、第１画像処理の比率を上げると共に第２画像処理の比率を下げるように変化させる。たとえば、画像処理部１４ｃは、カーソル５２が第５位置にあるときは、第１画像処理を７５％、第２画像処理を２５％の比率で、撮像画像に施す。また、画像処理部１４ｃは、カーソル５２が第９位置にあるときは、第１画像処理を５０％、第２画像処理を５０％の比率で、撮像画像に施す。また、画像処理部１４ｃは、カーソル５２が第１３位置にあるときは、第１画像処理を２５％、第２画像処理を７５％の比率で、撮像画像に施す。なお、第１画像処理を７５％の比率で行うとは、たとえば、撮像画像に第１画像処理のみを施したとき（すなわち第１画像処理を１００％施したとき）における撮像画像の変化の度合いを１００％としたときに、その度合いの７５％程度撮像画像が変化するように第１画像処理を施すことである。
【００２９】
カーソル５２が第０位置Ｐ０から１８０度離れた第３３位置Ｐ３３にある場合、すなわち位置選択部１４ｂが第３３位置Ｐ３３を選択している場合には、画像処理部１４ｃは第３画像処理のみを撮像画像に施す。したがって、カーソル５２が第１７位置Ｐ１７から第３３位置Ｐ３３へと時計周りに移動すると、表示部１７に表示されるスルー画は、第２画像処理のみを施した状態から第３画像処理のみを施した状態へと変化する。
【００３０】
このとき、表示部１７に表示されるスルー画は、第２画像処理のみを施した状態から第３画像処理のみを施した状態へ１５段階で徐々に遷移するようになっている。すなわち、カーソル５２が第１８位置から第３２位置にある間（すなわち位置選択部１４ｂが第１７位置Ｐ１７と第３３位置Ｐ３３との間の位置を選択している場合には）、画像処理部１４ｃは第２画像処理および第３画像処理の両方を撮像画像に施す。このとき画像処理部１４ｃは、カーソル５２の位置が第１７位置Ｐ１７から第３３位置Ｐ３３へ向かう方向に移動する場合には、第２画像処理の比率を下げると共に第３画像処理の比率を上げるように変化させる。一方、画像処理部１４ｃは、カーソル５２の位置が第３３位置Ｐ３３から第１７位置Ｐ１７へ向かう方向に移動する場合には、第２画像処理の比率を上げると共に第３画像処理の比率を下げるように変化させる。
【００３１】
カーソル５２が第０位置Ｐ０から時計周りに２７０度離れた第４９位置Ｐ４９にある場合、すなわち、位置選択部１４ｂが第４９位置Ｐ４９を選択している場合には、画像処理部１４ｃは第４画像処理のみを撮像画像に施す。したがって、カーソル５２が第３３位置Ｐ３３から第４９位置Ｐ４９へと時計周りに移動されると、表示部１７に表示されるスルー画は、第３画像処理のみを施した状態から第４画像処理のみを施した状態へと変化する。
【００３２】
このとき、表示部１７に表示されるスルー画は、第３画像処理のみを施した状態から第４画像処理のみを施した状態へ１５段階で徐々に遷移するようになっている。すなわち、カーソル５２が第３４位置から第４８位置にある間（位置選択部１４ｂが第３３位置Ｐ３３と第４９位置Ｐ４９との間の位置を選択している場合には）、画像処理部１４ｃは第３画像処理および第４画像処理の両方を撮像画像に施す。このとき画像処理部１４ｃは、カーソル５２の位置が第３３位置Ｐ３３から第４９位置Ｐ４９へ向かう方向に移動する場合には、第３画像処理の比率を下げると共に第４画像処理の比率を上げるように変化させる。一方、画像処理部１４ｃは、カーソル５２の位置が第４９位置Ｐ４９から第３３位置Ｐ３３へ向かう方向に移動する場合には、第３画像処理の比率を上げると共に第４画像処理の比率を下げるように変化させる。
【００３３】
カーソル５２が第０位置Ｐ０の左隣の第６５位置Ｐ６５にある場合、すなわち、位置選択部１４ｂが第６５位置Ｐ６５を選択している場合には、画像処理部１４ｃは第１画像処理のみを撮像画像に施す。したがって、カーソル５２が第４９位置Ｐ４９から第６５位置Ｐ６５へと時計周りに移動すると、表示部１７に表示されるスルー画は、第４画像処理のみを施した状態から第１画像処理のみを施した状態へと変化する。
【００３４】
このとき、表示部１７に表示されるスルー画は、第４画像処理のみを施した状態から第１画像処理のみを施した状態へ１５段階で徐々に遷移するようになっている。すなわち、カーソル５２が第５０位置から第６４位置にある間（位置選択部１４ｂが第４９位置Ｐ４９と第６５位置Ｐ６５との間の位置を選択している場合には）、画像処理部１４ｃは第４画像処理および第１画像処理の両方を撮像画像に施す。このとき画像処理部１４ｃは、カーソル５２の位置が第４９位置Ｐ４９から第６５位置Ｐ６５へ向かう方向に移動する場合には、第４画像処理の比率を下げると共に第１画像処理の比率を上げるように変化させる。一方、画像処理部１４ｃは、カーソル５２の位置が第６５位置Ｐ６５から第４９位置Ｐ４９へ向かう方向に移動する場合には、第４画像処理の比率を上げると共に第１画像処理の比率を下げるように変化させる。
【００３５】
また、カーソル５２が第６５位置Ｐ６５から第０位置Ｐ０へと時計周りに移動すると、表示部１７に表示するスルー画は、第１画像処理のみ施した状態から元画像の状態へと戻る。
【００３６】
このように、カーソル５２が第０位置Ｐ０から時計周りに１回転すると、撮像画像に施される画像処理が、元画像から、第１画像処理、第２画像処理、第３画像処理、第４画像処理の順で連続的に変更された後、再度第１画像処理に戻って、元画像に戻る。また、カーソル５２が反時計回りに１回転する場合は、撮像画像に施される画像処理は、上述した時計周りに１回転する場合と逆の順で変化する。また、必ずしもカーソル５２が１回転しなくてもよく、たとえば、カーソル５２が時計周りに半周回転した後に反時計回りに移動して、画像処理の変化を戻すことも可能となっている。
【００３７】
また、デジタルカメラ１を屋外で使用する場合、屋外光によって表示部１７が見えにくくなる場合がある。そこで、制御部１４の発生制御部１４ｄは、現在、撮像画像に対してどのような画像処理を行っているかをユーザーに報知するための操作音を、スピーカ１８により発生させるようになっている。
【００３８】
デジタルカメラ１では、第１画像処理〜第４画像処理のそれぞれに対して、互いに異なる音色の操作音（第１操作音〜第４操作音）が対応付けられている。第１操作音〜第４操作音を発生するための音声データは、デジタルカメラ１の不図示のメモリに記憶されている。発生制御部１４ｄは、この音声データをメモリから読み出して再生し、スピーカ１８から発生させる。
【００３９】
図３では、カーソル５２が各位置に来たときに発生される操作音についても記載している。カーソル５２が第０位置Ｐ０に来たときは、撮像画像に対して第１画像処理〜第４画像処理が行われないので、発生制御部１４ｄは、スピーカ１８から操作音を発生させない。
【００４０】
カーソル５２が第１位置Ｐ１に来たときは、撮像画像に対して第１画像処理のみが（すなわち第１画像処理が１００％の比率で）行われるので、発生制御部１４ｄは、スピーカ１８から第１操作音を最大（ＭＡＸの）音量で発生させる。したがって、カーソル５２が第１位置Ｐ１に移動すると、第１操作音のみが聞こえるので、ユーザーは、撮像画像に施される画像処理が第１画像処理のみであることを認識することができる。
【００４１】
カーソル５２が第２位置から第１６位置までの間にある場合は、撮像画像に対して第１画像処理と第２画像処理の両方が行われるので、発生制御部１４ｄは、スピーカ１８から第１操作音と第２操作音の両方を同時にまたは連続して発生させる。したがって、カーソル５２が第２位置〜第１６位置にある間は、第１操作音と第２操作音の両方が聞こえるので、ユーザーは、撮像画像に施される画像処理が第１画像処理と第２画像処理の両方であることを認識することができる。
【００４２】
また、このとき発生制御部１４ｄは、第１画像処理と第２画像処理の比率に応じて、第１操作音と第２操作音の音量を変化させる。具体的に、発生制御部１４ｄは、カーソル５２が第１位置Ｐ１に近いほど第１画像処理の比率が高くなるので第１操作音の音量を大きくする一方、第２画像処理の比率は低くなるので、第２操作音の音量については小さくする。また、発生制御部１４ｄは、カーソル５２が第１７位置Ｐ１７に近いほど第１画像処理の比率が低くなるので第１操作音の音量を小さくする一方、第２画像処理の比率は高くなるので、第２操作音の音量については大きくする。したがって、発生制御部１４ｄは、カーソル５２が第１７位置Ｐ１７へ向かう方向に移動する場合には、スピーカ１８から発生される第１操作音の音量を下げていくと共に第２操作音の音量を上げていく。一方、発生制御部１４ｄは、カーソル５２が第１位置Ｐ１へ向かう方向に移動する場合には、スピーカ１８から発生される第１操作音の音量を上げていくと共に第２操作音の音量を下げていく。なお、発生制御部１４ｄは、カーソル５２が第１位置Ｐ１から第１６位置まで移動するとき、第１操作音の音量を最大音量から１５段階で小さくする。一方、発生制御部１４ｄは、カーソル５２が第１７位置Ｐ１７から第２位置まで移動するとき、第２操作音の音量を最大音量から１５段階で小さくする。
【００４３】
以上のようにすることで、カーソル５２が第２位置〜第１６位置Ｐ１６の間で移動するとき、ユーザーは、第１操作音と第２操作音の音量の変化で、撮像画像に施される第１画像処理と第２画像処理の比率がどのように変化しているかを認識することができる。
【００４４】
発生制御部１４ｄは、カーソル５２が第１７位置Ｐ１７〜第６５位置Ｐ６５にある場合も、上述した場合と同様にしてスピーカ１８から操作音を発生させる。
【００４５】
具体的に、カーソル５２が第１７位置Ｐ１７に来たときは、撮像画像に対して第２画像処理のみが行われるので、発生制御部１４ｄは、スピーカ１８から第２操作音を最大音量で発生させる。
【００４６】
カーソル５２が第１８位置から第３２位置までの間にある場合は、撮像画像に対して第２画像処理と第３画像処理の両方が行われるので、発生制御部１４ｄは、スピーカ１８から第２操作音と第３操作音の両方を発生させる。このとき発生制御部１４ｄは、カーソル５２が第１７位置Ｐ１７に近いほど第２画像処理の比率が高くなるので第２操作音の音量を大きくする一方、第３画像処理の比率は低くなるので、第３操作音の音量については小さくする。また、発生制御部１４ｄは、カーソル５２が第３３位置Ｐ３３に近いほど第２画像処理の比率が低くなるので第２操作音の音量を小さくする一方、第３画像処理の比率は高くなるので、第３操作音の音量については大きくする。
【００４７】
カーソル５２が第３３位置Ｐ３３に来たときは、撮像画像に対して第３画像処理のみが行われるので、発生制御部１４ｄは、スピーカ１８から第３操作音を最大音量で発生させる。
【００４８】
カーソル５２が第３４位置から第４８位置までの間にある場合は、撮像画像に対して第３画像処理と第４画像処理の両方が行われるので、発生制御部１４ｄは、スピーカ１８から第３操作音と第４操作音の両方を発生させる。このとき発生制御部１４ｄは、カーソル５２が第３３位置Ｐ３３に近いほど第３画像処理の比率が高くなるので第３操作音の音量を大きくする一方、第４画像処理の比率は低くなるので、第４操作音の音量については小さくする。また、発生制御部１４ｄは、カーソル５２が第４９位置Ｐ４９に近いほど第３画像処理の比率が低くなるので第３操作音の音量を小さくする一方、第４画像処理の比率は高くなるので、第４操作音の音量については大きくする。
【００４９】
カーソル５２が第４９位置Ｐ４９に来たときは、撮像画像に対して第４画像処理のみが行われるので、発生制御部１４ｄは、スピーカ１８から第４操作音を最大音量で発生させる。
【００５０】
カーソル５２が第５０位置から第６４位置までの間にある場合は、撮像画像に対して第４画像処理と第１画像処理の両方が行われるので、発生制御部１４ｄは、スピーカ１８から第４操作音と第１操作音の両方を発生させる。このとき発生制御部１４ｄは、カーソル５２が第４９位置Ｐ４９に近いほど第４画像処理の比率が高くなるので第４操作音の音量を大きくする一方、第１画像処理の比率は低くなるので、第１操作音の音量については小さくする。また、発生制御部１４ｄは、カーソル５２が第６５位置Ｐ６５に近いほど第４画像処理の比率が低くなるので第４操作音の音量を小さくする一方、第１画像処理の比率は高くなるので、第１操作音の音量については大きくする。
【００５１】
カーソル５２が第６５位置Ｐ６５に来たときは、撮像画像に対して第１画像処理のみが行われるので、発生制御部１４ｄは、スピーカ１８から第１操作音を最大音量で発生させる。
【００５２】
以上のように、発生制御部１４ｄは、撮像画像に対して行う画像処理に応じた操作音を、その比率に応じた音量でスピーカ１８から発生させる。これにより、ユーザーは、表示部１７が見づらい場合であっても、撮像画像に対してどの画像処理がどのくらいの比率で行われるのかを認識することができる。
【００５３】
次に、リング画像５０に設定される第１画像処理〜第４画像処理の内容について、詳しく説明する。なお、本説明において、画像処理には、たとえば彩度やコントラスト、ホワイトバランスなどのパラメータを変えることで画作りを行う処理や、たとえばフィルタをかけてぼかしたり周辺を暗くしてトイカメラ風にしたりするなど画像効果をかける処理が含まれるとする。クリエイティブモードでは、撮影シーンを判別するシーン判別処理を行い、判別した撮影シーンに応じた４つの画像処理を、第１画像処理〜第４画像処理としてリング画像５０に設定するようになっている。すなわち、判別される撮影シーンによって、リング画像５０に設定される第１画像処理〜第４画像処理の内容が異なっている。
【００５４】
判別される撮影シーンとしては、人物を撮影するシーンである「ポートレート」、被写体に接近して撮影するシーンである「接写」、風景を撮影するシーンである「風景」、「ポートレート」、「接写」、「風景」のいずれでもないシーンである「その他」の４種類である。なお、判別される撮影シーンの種類は一例であり、この他種々の撮影シーンを判別してもよい。撮影シーンの判別方法は、公知の方法を用いるものとする。制御部１４は、たとえば、撮像素子１２からの画像信号に基づく情報（輝度や色バランス（Ｒ／Ｇ比、Ｂ／Ｇ比）など）や、カメラ設定情報（撮像光学系１１の焦点距離や撮影倍率など）に基づいて撮影シーンを判別する。
【００５５】
図４は、撮影シーンに応じた第１画像処理〜第４画像処理の組合せを説明する図である。デジタルカメラ１では、撮影シーンごとに、それぞれの撮影シーンに適した４種類の画像処理が第１画像処理〜第４画像処理として予め設定されている。たとえば、撮影シーン「人物」用のリング画像５０ｐには、第１画像処理として「ポートレート」、第２画像処理として「モノクローム」、第３画像処理として「ハイキー」、第４画像処理として「クロスプロセス（Ｒ）」が設定される。撮影シーン「接写」用のリング画像５０ｎには、第１画像処理として「ビビッド」、第２画像処理として「ハイキー」、第３画像処理として「トイカメラ」、第４画像処理として「セレクトカラー」が設定される。撮影シーン「風景」用のリング画像５０ｇには、第１画像処理として「クロスプロセス（Ｂ）」、第２画像処理として「風景」、第３画像処理として「フィルターモノクロ（セピア）」、第４画像処理として「アヴァンギャルド」が設定される。撮影シーン「その他」用のリング画像５０ｓには、第１画像処理として「アヴァンギャルド」、第２画像処理として「モノクローム」、第３画像処理として「トイカメラ」、第４画像処理として「クロスプロセス（Ｇ）」が設定される。なお、図４では説明のため、撮影シーンおよび第１画像処理〜第４画像処理の内容を示すテキストを記載しているが、実際の表示部１７の表示画面では、当該テキストは表示されず、リング５１とカーソル５２のみが表示される。すなわち、リング画像５０ｐ、５０ｎ、５０ｇ、５０ｓは、表示部１７の表示画面ではどの撮影シーンでも同じ画像として（すなわち同じ表示内容で）表示される。
【００５６】
「ポートレート」は、人物の肌をきれいに見せる画作りを行うための画像処理である。「モノクローム」は、白黒の濃淡のみの画作りを行うための画像処理である。「ハイキー」は、画面全体が明るく陰影の少ない画作りを行うための画像処理である。「クロスプロセス（Ｒ）」、「クロスプロセス（Ｇ）」、および「クロスプロセス（Ｂ）」は、クロスプロセス（ポジフィルムを使いネガ用の現像を行う銀塩写真の手法）を行ったような画像効果を得るための画像処理である。なお、「クロスプロセス（Ｒ）」では赤みの強い画像が得られ、「クロスプロセス（Ｇ）」では緑みの強い画像が得られ、「クロスプロセス（Ｂ）」では青みの強い画像が得られる。「ビビッド」は、コントラストが強調された色鮮やかな画作りを行うための画像処理である。「トイカメラ」は、トイカメラで撮影したような画像効果を得るための画像処理である。「セレクトカラー」は、特定の色だけを残してその他をモノクロに変化した画像効果を得るための画像処理である。「風景」は、自然や街並みなどの景観に適した画作りを行うための画像処理である。「フィルターモノクロ（セピア）」は、セピア色の濃淡のみの画作りを行うための画像処理である。「アヴァンギャルド」は、「ビビッド」よりもさらにコントラストと彩度を上げて独特の画作りを行うための画像処理である。
【００５７】
なお、リング画像５０に第１画像処理〜第４画像処理として設定する画像処理の組合せの情報は、撮影シーンごとにデジタルカメラ１内の不図示のメモリに予め記憶されており、この情報とシーン判別結果に基づいて、第１画像処理〜第４画像処理がリング画像５０に設定される。
【００５８】
次に、クリエイティブモードにおいて、制御部１４が実行する処理の流れを、図５に示すフローチャートを用いて説明する。撮影モードがクリエイティブモードに切り替えられると、制御部１４は、スルー画の表示を開始すると共に、不図示のメモリに記録された図５の処理を行うプログラムを起動して、当該処理を開始する。
【００５９】
ステップＳ１において、表示制御部１４ａは、リング画像５０の表示を開始して、ステップＳ２へ進む。
【００６０】
ステップＳ２において、制御部１４は、撮影シーンを判別するシーン判別処理を開始して、ステップＳ３へ進む。なお、シーン判別処理は、所定時間おきに繰り返し行う。また、制御部１４は、シーン判別処理を適切に行うために、繰り返しＡＦ（Auto Focus）処理を行って、任意の被写体にピントを合わせる。
【００６１】
ステップＳ３において、制御部１４は、ロータリーマルチセレクター１６ｂが回転操作されたか否かを判定する。ロータリーマルチセレクター１６ｂが回転操作されていない場合は、制御部１４は、ステップＳ３を否定判定し、ステップＳ３の処理を繰り返すと共にシーン判別処理を継続する。一方、ロータリーマルチセレクター１６ｂが回転操作された場合には、制御部１４は、ステップＳ３を肯定判定し、ステップＳ４へ進む。
【００６２】
ステップＳ４において、制御部１４は、シーン判別処理を停止して、上記ドラッグ操作が行われた時点で判別された撮影シーンを、撮影シーンの判別結果として確定する。そして制御部１４は、図４を用いて上述したように、当該確定した撮影シーンに応じた第１画像処理〜第４画像処理をリング画像５０に設定する。
【００６３】
また、制御部１４は、ステップＳ４で確定した撮影シーンに応じて撮像光学系１１の絞り値を制御する。本実施形態では、撮影シーンごとに、最適な絞り値が予め対応付けられてデジタルカメラ１内の不図示のメモリに記憶されている。たとえば、撮影シーン「人物」に対しては開放絞り値が対応付けられ、撮影シーン「風景」に対しては絞り値Ｆ８が対応づけられている。制御部１４は、上記確定した撮影シーンに対応付けられた絞り値となるように、撮像光学系１１の絞り値を制御する。これ以降、制御部１４は、スルー画用および静止画用の撮像処理において、絞り優先モードで露出制御（シャッタースピードやＩＳＯ感度などの制御）を行う。
【００６４】
ステップＳ５において、制御部１４は、上述したように、カーソル５２の位置に応じた画像処理を撮像画像に施す処理を行う。この処理の流れを、図６に示すフローチャートを用いて説明する。ステップＳ５１において、位置選択部１４ｂは、ロータリーマルチセレクター１６ｂの回転操作に応じて、カーソル５２（すなわち選択位置）を移動させ、ステップＳ５２へ進む。
【００６５】
ステップＳ５２において、発生制御部１４ｄは、上記図２および図３を用いて説明したように、カーソル５２の位置に応じて操作音をスピーカ１８から発生させて、ステップＳ５３へ進む。
【００６６】
ステップＳ５３において、画像処理部１４ｃは、上記図２および図３を用いて説明したように、カーソル５２の位置に応じて画像処理を撮像画像に施して、ステップＳ５４へ進む。
【００６７】
ステップＳ５４において、表示制御部１４ａは、画像処理部１４ｃによって画像処理が施された撮像画像をスルー画として表示部１７に表示する。その後、制御部１４は、図６の処理を終了して、図５のステップＳ６に進む。
【００６８】
ステップＳ６において、制御部１４は、シャッターボタンが半押し操作されたか否かを判定する。シャッターボタンが半押し操作されていない場合は、制御部１４は、ステップＳ６を否定判定してステップＳ５に戻る。すなわち、制御部１４は、シャッターボタンが半押し操作されるまでは、リング画像５０のカーソル５２の位置に応じた画像処理（図６）を繰り返し行う。一方、シャッターボタンが半押し操作された場合には、制御部１４は、ステップＳ６を肯定判定し、ステップＳ７へ進む。
【００６９】
ステップＳ７において、画像処理部１４ｃは、シャッターボタンが半押し操作された時点でリング画像５０のカーソル５２の位置に応じて設定される画像処理（すなわちその時点で撮像画像に施されている画像処理）を、静止画に施す画像処理として確定する。そして、表示制御部１４ａは、リング画像５０を非表示にして、ステップＳ８へ進む。
【００７０】
ステップＳ８において、制御部１４は、ピント位置を固定するシングルＡＦモードと動く被写体にピントを追従させるコンティニュアスＡＦモードとを自動で切り替える自動モード切替ＡＦモードでＡＦ処理を行い、ステップＳ９へ進む。自動モード切替ＡＦモードでは、シャッターボタンの半押し操作時点で被写体にピントを合わせ、ピント位置をいったん固定する。その後、被写体が動き出して、デジタルカメラ１と被写体の距離が変わった場合には、自動的にコンティニュアスＡＦモードに切り替わり、被写体にピントを合わせ続ける。
【００７１】
ステップＳ９において、シャッターボタンが全押し操作されたか否かを判定する。シャッターボタンが全押し操作されていない場合は、制御部１４は、ステップＳ９を否定判定しステップＳ９の処理を繰り返す。一方、シャッターボタンが全押し操作された場合には、制御部１４は、ステップＳ９を肯定判定し、ステップＳ１０へ進む。
【００７２】
ステップＳ１０において、制御部１４は、撮像素子１２に静止画用の撮像処理を行わせる。画像処理部１４ｃは、当該撮像処理により得られた撮像画像データに対して、ステップＳ７で確定した画像処理を施す。そして、制御部１４は、当該画像処理が施された撮像画像データを、静止画データとして記録媒体２０に記録して、ステップＳ１１へ進む。
【００７３】
ステップＳ１１において、制御部１４は、スルー画の表示とリング画像５０の表示とを再度開始してステップＳ５に戻る。すなわち、いったん静止画撮影が終了した後においても、リング画像５０に設定される第１画像処理〜第４画像処理については、ステップＳ４での設定が保持される。これは、静止画撮影のたびに、リング画像５０に設定される第１画像処理〜第４画像処理が変化すると、ユーザーにとってわかりにくくなることを考慮したためである。
【００７４】
リング画像５０の表示中において、ユーザーが現在リング画像５０に設定されている第１画像処理〜第４画像処理を変更したい場合には、操作部材１６のＯＫボタンを押下することで、第１画像処理〜第４画像処理のリセット操作を行えるようになっている。リング画像５０の表示中にＯＫボタンが押下されると、制御部１４は、リング画像５０における第１画像処理〜第４画像処理の設定を解除（リセット）する。また、位置選択部１４ｂは、カーソル５２の位置を初期位置（第０位置）Ｐ０に戻す。その後、制御部１４は図５に示す処理をステップＳ２から再度開始する。
【００７５】
なお、クリエイティブモードにおいて、リング画像５０のカーソル５２に対するドラッグ操作が一度も行われないままシャッターボタンが半押し操作された場合には、制御部１４は、リング画像５０を非表示にして、通常モードと同様の処理を行う。すなわち、制御部１４は、上記自動モード切替ＡＦモードで、ＡＦ処理を行う。その後、シャッターボタンが全押し操作されると、制御部１４は、撮像素子１２に静止画用の撮像処理を行わせ、得られた撮像画像データを静止画像データとして記録媒体２０に記録する。その後、制御部１４は、再度、図５のステップＳ１に戻って処理を開始する。
【００７６】
以上説明した実施の形態によれば、次の作用効果が得られる。
（１）デジタルカメラ１は、リング画像５０のカーソル５２の位置、すなわち位置選択部１４ｂによる選択位置が第１位置Ｐ１である場合には、撮像画像に対して第１画像処理のみを行い、第１操作音のみを発生させる。また、デジタルカメラ１は、カーソル５２の位置が第１７位置Ｐ１７である場合には、撮像画像に対して第２画像処理のみを行い、第２操作音のみを発生させる。また、デジタルカメラ１は、カーソル５２の位置が第１位置Ｐ１と第１７位置Ｐ１７の間の中間位置（第２位置〜第１６位置）である場合には、撮像画像に対して第１画像処理と第２画像処理の両方を行い、第１操作音と第２操作音の両方を発生させる。このようにすることで、表示部１７に表示されたカーソル５２が見づらい場合であっても、撮像画像に施される画像処理の内容、すなわち第１画像処理〜第４画像処理のうちどの画像処理が行われるかを分かりやすくすることができる。
【００７７】
（２）デジタルカメラ１は、カーソル５２の位置が中間位置（第２位置〜第１６位置）である場合には、カーソル５２の位置が第１位置Ｐ１に近いほど第１画像処理の比率を高くして第１操作音の大きさ（音量）を大きくすると共に、第２画像処理の比率を低くして第２操作音の大きさを小さくする。一方、デジタルカメラ１は、カーソル５２の位置が第１７位置Ｐ１７に近いほど第２画像処理の比率を高くして第２操作音の大きさを大きくすると共に、第１画像処理の比率を低くして第１操作音の大きさを小さくする。このようにすることで、ユーザーは、第１操作音および第２操作音の大きさの変化によって、第１画像処理と第２画像処理の比率の変化を認識することができる。
【００７８】
（第１の実施形態の変形例１）
上述した実施形態において、第１操作音〜第４操作音は互いに音色が異なる例について説明したが、互いに音高が異なるようにしてもよいし、音色および音高の両方が異なるようにしてもよい。また、スピーカ１８がステレオスピーカの場合、第１操作音および第３操作音を一方のスピーカから発生させ、第２操作音および第４操作音を他方のスピーカから発生させるようにしてもよい。それにより、たとえばカーソル５２が第２位置から第１６位置までの間にある場合は、撮像画像に対して第１画像処理と第２画像処理の両方が行われるので、発生制御部１４ｄは、一方のスピーカから第１操作音を発生させ、他方のスピーカから第２操作音を発生させるようにしてもよい。
【００７９】
（第１の実施形態の変形例２）
上述した実施形態では、スピーカ１８から発生する操作音によって、撮像画像に対してどのような画像処理を行っているかをユーザーに報知する例について説明した。しかしながら、振動発生部１９から発生する振動によって、撮像画像に対してどのような画像処理を行っているかをユーザーに報知するようにしてもよい。
【００８０】
変形例２では、たとえば、第１画像処理〜第４画像処理のそれぞれに対して、互いに異なる振動周波数または振動パターンを有する振動（第１振動〜第４振動）が対応付けられている。カーソル５２が第０位置Ｐ０に来たときは、撮像画像に対して第１画像処理〜第４画像処理が行われないので、発生制御部１４ｄは、振動発生部１９から振動を発生させない。
【００８１】
カーソル５２が第１位置Ｐ１に来たときは、撮像画像に対して第１画像処理のみが行われるので、発生制御部１４ｄは、振動発生部１９から第１振動を最大振幅で発生させる。
【００８２】
カーソル５２が第２位置から第１６位置までの間にある場合は、撮像画像に対して第１画像処理と第２画像処理の両方が行われるので、発生制御部１４ｄは、振動発生部１９から第１振動と第２振動の両方を同時にまたは連続して発生させる。このとき発生制御部１４ｄは、カーソル５２が第１位置Ｐ１に近いほど第１画像処理の比率が高くなるので第１振動の振幅を大きくする一方、第２画像処理の比率は低くなるので、第２振動の振幅については小さくする。また、発生制御部１４ｄは、カーソル５２が第１７位置Ｐ１７に近いほど第１画像処理の比率が低くなるので第１振動の振幅を小さくする一方、第２画像処理の比率は高くなるので、第２振動の振幅については大きくする。
【００８３】
発生制御部１４ｄは、カーソル５２が第１７位置Ｐ１７〜第６５位置Ｐ６５にある場合も、上述した場合と同様にして振動発生部１９から振動を発生させるので、説明を省略する。
【００８４】
このように、発生制御部１４ｄは、撮像画像に対して行う画像処理に応じた振動を、その比率に応じた振幅で振動発生部１９から発生させる。これにより、ユーザーは、表示部１７が見づらい場合であっても、撮像画像に対してどの画像処理がどのくらいの比率で行われるのかを認識することができる。
【００８５】
（第１の実施形態の変形例３）
また、操作音と振動とを組み合わせて、撮像画像に対してどのような画像処理を行っているかをユーザーに報知するようにしてもよい。この場合、たとえば、第１画像処理には第１操作音を対応付け、第２画像処理には第２振動を対応付け、第３画像処理には第３操作音を対応付け、第４画像処理には第４振動を対応付ける。
【００８６】
カーソル５２が第０位置Ｐ０に来たときは、撮像画像に対して第１画像処理〜第４画像処理が行われないので、発生制御部１４ｄは、スピーカ１８から操作音を発生させず、且つ振動発生部１９から振動を発生させない。
【００８７】
カーソル５２が第１位置Ｐ１に来たときは、撮像画像に対して第１画像処理のみが行われるので、発生制御部１４ｄは、スピーカ１８から第１操作音を最大音量で発生させる。
【００８８】
カーソル５２が第２位置から第１６位置までの間にある場合は、撮像画像に対して第１画像処理と第２画像処理の両方が行われるので、発生制御部１４ｄは、スピーカ１８から第１操作音を発生させると共に、振動発生部１９から第２振動を発生させる。なお、第１操作音および第２振動は、同時にまたは連続して発生される。このとき発生制御部１４ｄは、カーソル５２が第１位置Ｐ１に近いほど第１画像処理の比率が高くなるので第１操作音の音量を大きくする一方、第２画像処理の比率は低くなるので、第２振動の振幅については小さくする。また、発生制御部１４ｄは、カーソル５２が第１７位置Ｐ１７に近いほど第１画像処理の比率が低くなるので第１操作音の音量を小さくする一方、第２画像処理の比率は高くなるので、第２振動の振幅については大きくする。
【００８９】
発生制御部１４ｄは、カーソル５２が第１７位置Ｐ１７〜第６５位置Ｐ６５にある場合も、上述した場合と同様にして操作音および振動を発生させるので、説明を省略する。
【００９０】
このように、発生制御部１４ｄは、撮像画像に対して行う画像処理に応じた操作音または振動を、その比率に応じた音量または振幅でスピーカ１８または振動発生部１９から発生させる。これにより、ユーザーは、表示部１７が見づらい場合であっても、撮像画像に対してどの画像処理がどのくらいの比率で行われるのかを認識することができる。また、変形例３の場合、２つの画像処理が両方行われる場合には、操作音と振動とが合わせて発生されるので、異なる操作音同士、または異なる振動同士が合わせて発生される場合よりも、区別がつきやすい。
【００９１】
−第２の実施形態−
図面を参照して本発明の第２の実施形態について説明する。第２の実施形態では、第１の実施形態と操作音を発生するタイミングが異なっているので、この点について説明する。なお、第２の実施形態において、第１の実施形態と同様の内容については、同一の符号を付して説明を省略する。
【００９２】
図７は、第２の実施形態において、リング画像５０の各位置における画像処理および操作音を説明する図である。撮像画像に施す画像処理については、第１の実施形態と同様であるため、説明を省略する。図７に示すように、発生制御部１４ｄは、カーソル５２が第０位置Ｐ０に来たときにのみ、すなわち表示部１７に元画像が表示されるときにのみ、スピーカ１８から所定の操作音を発生させる。カーソル５２が第１位置Ｐ１〜第６５位置Ｐ６５の間にあるとき、すなわち撮像画像に第１画像処理〜第４画像処理の少なくとも１つが施されているときには、発生制御部１４ｄは、スピーカ１８から操作音を発生させない。
【００９３】
以上説明した実施の形態によれば、次の作用効果が得られる。
デジタルカメラ１は、リング画像５０のカーソル５２の位置、すなわち位置選択部１４ｂによる選択位置が第１位置Ｐ１〜第６５位置Ｐ６５である場合には操作音を発生させず、第０位置Ｐ０に戻ったとき、すなわち元画像に戻ったときのみ操作音を発生させる。このようにすることで、表示部１７に表示されたカーソル５２が見づらい場合であっても、撮像画像が元画像に戻ったことを分かりやすくすることができる。
【００９４】
（第２の実施形態の変形例１）
なお、発生制御部１４ｄは、カーソル５２が第０位置Ｐ０に来たときにのみ、すなわち表示部１７に元画像が表示されるときにのみ、振動発生部１９から所定の振動を発生させるようにしてもよい。こうすることでも、ユーザーに、表示部１７に表示されるスルー画が元画像に戻ったことを報知することができる。
【００９５】
（第２の実施形態の変形例２）
上述した実施の形態では、カーソル５２が第０位置Ｐ０に来たときにのみ、発生制御部１４ｄは、スピーカ１８から所定の操作音を発生させたり、振動発生部１９から所定の振動を発生させたりするようにしたが、これに限定されない。カーソル５２が第１位置Ｐ１、第１７位置Ｐ１７、第３３位置Ｐ３３、第４９位置Ｐ４９、第６５位置Ｐ６５に来たとき、すなわち撮像画像に第１画像処理〜第４画像処理のいずれかの１つの画像処理が施されているときに、発生制御部１４ｄは、スピーカ１８から所定の操作音を発生させたり、振動発生部１９から所定の振動を発生させたりするようにしてもよい。
【００９６】
−その他の変形例−
（変形例１）
上述した実施の形態では、静止画を撮影するモードにおいて、リング画像５０によって撮像画像に施す画像処理を変更できる例について説明したが、動画を撮影するモードにおいてもリング画像５０によって撮像画像に施す画像処理を変更できるようにしてもよい。
【００９７】
（変形例２）
上述した実施の形態では、シャッターボタン１６ａの押下操作に応じてシャッターを切る例について説明したが、タッチパネルに対するタッチ操作に応じてシャッターを切る、いわゆるタッチシャッターであってもよい。
【００９８】
（変形例３）
上述した実施の形態では、リング画像５０のカーソル５２の移動に応じて、４種類の画像処理（第１画像処理〜第４画像処理）の中から、撮像画像に施す画像処理を選択するようにした。しかしながら、リング画像５０における画像処理の選択肢の数はこれに限らなくてよく、２種類または３種類であってもよいし、５種類以上であってもよい。この場合、画像処理の選択肢の数に応じて、操作音または振動の種類を増やせばよい。
【００９９】
（変形例４）
上述した実施の形態では、撮像画像に施す画像処理を選択するための画像として、リング画像５０を用いる例について説明した。しかしながら、リング形状に限らなくてもよく、たとえば、バー形状などであってもよい。また、カーソル５２を移動させる例について説明したが、カーソル５２を固定としてリング５１を移動させるようにしてもよい。
【０１００】
（変形例５）
上述した実施の形態では、リング画像５０に対する操作を、ロータリーマルチセレクター１６ｂの回転操作によって行う例について説明したが、これに限らなくてよい。たとえばタッチパネルに対するタッチ操作や、デジタルカメラ１の筐体を傾けるなどのアクション操作などによって行うようにしてもよい。
【０１０１】
（変形例６）
上述した実施の形態では、デジタルカメラ１の制御部１４が不図示のメモリに記録されたプログラムを実行することで、上述した図５および図６の処理を行う例について説明した。このプログラムは、製品出荷時に予め記録されていてもよいし、製品出荷後、メモリカードなどの記録媒体やインターネットなどのデータ信号を通じて提供されてもよい。図８はその様子を示す図である。デジタルカメラ１は、メモリカードなどの記録媒体２０を介してプログラムの提供を受ける。また、デジタルカメラ１は通信回線１０１との接続機能を有する。コンピュータ１０２は上記プログラムを提供するサーバコンピュータであり、ハードディスク１０３などの記録媒体にプログラムを格納する。通信回線１０１は、インターネット、パソコン通信などの通信回線、あるいは専用通信回線などである。コンピュータ１０２はハードディスク１０３を使用してプログラムを読み出し、通信回線１０１を介してプログラムをデジタルカメラ１に送信する。すなわち、プログラムをデータ信号として搬送波を介して、通信回線１０１を介して送信する。このように、プログラムは、記録媒体やデータ信号（搬送波）などの種々の形態のコンピュータ読み込み可能なコンピュータプログラム製品として供給できる。
【０１０２】
（変形例７）
上述した実施の形態では、デジタルカメラに本発明を適用する例について説明したが、これに限らなくてよい。たとえば携帯電話機、スマートフォン、タブレット端末などに本発明を適用するようにしてもよい。
【０１０３】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【０１０４】
１…デジタルカメラ、１１…撮像光学系、１２…撮像素子、１４…制御部、１４ａ…表示制御部、１４ｂ…位置選択部、１４ｃ…画像処理部、１４ｄ…発生制御部、１６…操作部材、１７…表示部、１８…スピーカ、１９…振動発生部、２０…記録媒体
【図１】
2015106821.tif 000003
【図２】
2015106821.tif 000004
【図３】
2015106821.tif 000005
【図４】
2015106821.tif 000006
【図５】
2015106821.tif 000007
【図６】
2015106821.tif 000008
【図７】
2015106821.tif 000009
【図８】
2015106821.tif 000010